(57)【要約】【課題】開口部に建具を簡単に取り付けることができる建具取付構造、玄関庇および建具取付方法を提供すること。【解決手段】玄関庇の開口部に建具を取り付ける建具取付構造では、支柱２に沿って固定される固定縦材１１および固定縦材１１に取付可能な可動縦材１５によって建具の縦枠が構成され、固定縦材１１は、支柱２に固定される固定見込み片部１２と、固定見込み片部１２に連続した一対の固定見付け片部１３，１４とを有し、可動縦材１５は、固定見込み片部１２に対して間隔を隔てて対向する可動見込み片部１６と、可動見込み片部１６に連続した一対の可動見付け片部１７，１８とを有する。可動見付け片部１７，１８は固定見付け片部１３，１４に対して位置調整可能に重なって配置される。【選択図】図４
2020128630.tif 000002
【特許請求の範囲】
【請求項１】
支柱および屋根を備えた玄関庇に形成される開口部に建具を取り付ける建具取付構造であって、
前記支柱に沿って固定される固定縦材および前記固定縦材に取付可能な可動縦材によって前記建具の縦枠が構成され、
前記固定縦材は、前記支柱に固定される固定見込み片部と、前記固定見込み片部に連続した一対の固定見付け片部とを有し、
前記可動縦材は、前記固定見込み片部に対して間隔を隔てて対向する可動見込み片部と、前記可動見込み片部に連続した一対の可動見付け片部とを有し、
前記一対の可動見付け片部は前記一対の固定見付け片部に対して位置調整可能に重なって配置されている
ことを特徴とする建具取付構造。
【請求項２】
請求項１に記載の建具取付構造において、
前記可動縦材は、前記固定縦材の一対の固定見付け片部を呑み込んで配置され、
前記一対の可動見付け片部のうち前記固定見込み片部側に位置する側縁部は、見込み方向において前記一対の固定見付け片部側に折曲された折曲片部と、前記折曲片部から更に見付け方向において前記固定見込み片部側に延出した取付片部とによって構成されている
ことを特徴とする建具取付構造。
【請求項３】
請求項１または請求項２に記載の建具取付構造において、
前記一対の可動見付け片部は、前記一対の固定見付け片部に対してそれぞれ取り付けられている
ことを特徴とする建具取付構造。
【請求項４】
支柱と、屋根と、開口部に設置された建具と、請求項１から請求項３のいずれか一項に記載の建具取付構造における固定縦材および可動縦材とを備え、
前記支柱に沿って固定される前記固定縦材および前記固定縦材に取付可能な前記可動縦材によって前記建具の縦枠が構成され、
前記一対の可動見付け片部は前記一対の固定見付け片部に対して位置調整可能に重なって配置されている
ことを特徴とする玄関庇。
【請求項５】
支柱および屋根を備えた玄関庇に形成される開口部に請求項１から請求項３のいずれか一項に記載の建具取付構造を用いて建具を取り付ける建具取付方法であって、
前記建具の縦枠を構成する前記固定縦材および前記可動縦材のうち前記固定縦材を前記支柱に固定し、
前記可動縦材を前記固定縦材に対して位置調整し、
前記可動縦材を前記固定縦材に取り付ける
ことを特徴とする建具取付方法。
【発明の詳細な説明】
【技術分野】
【０００１】
本発明は、開口部に引き戸や窓などの各種の建具を取り付ける建具取付構造、玄関庇および建具取付方法に関する
【背景技術】
【０００２】
従来、ポーチ庇と、ポーチ庇の先端側を支える二本の支柱とを備える玄関ポーチ（玄関庇）が知られており（特許文献１参照）、二本の支柱間や建物外壁間の開口部に引き戸が取り付けられている。
【先行技術文献】
【特許文献】
【０００３】
【特許文献１】特開２０００−８７４４６号公報
【発明の概要】
【発明が解決しようとする課題】
【０００４】
ところで、特許文献１に記載の玄関ポーチでは、支柱に対して引き戸のサッシ枠を直接に取り付けているので、施工誤差によって支柱が垂直方向に対して傾いている場合にはサッシ枠も傾いた状態で設置されてしまう。また、例えば既設の玄関ポーチの支柱が経年劣化によって傾いている場合にも、支柱に直接に取り付けるサッシ枠も傾いてしまう。このため、支柱およびサッシ枠の間に複数の介物（スペーサー）を設置してサッシ枠を垂直出しする必要があるので施工が煩雑となってしまう。
【０００５】
本発明は、開口部に建具を簡単に取り付けることができる建具取付構造、玄関庇および建具取付方法を提供することを目的とする。
【課題を解決するための手段】
【０００６】
本発明の建具取付構造は、支柱および屋根を備えた玄関庇に形成される開口部に建具を取り付ける建具取付構造であって、前記支柱に沿って固定される固定縦材および前記固定縦材に取付可能な可動縦材によって前記建具の縦枠が構成され、前記固定縦材は、前記支柱に固定される固定見込み片部と、前記固定見込み片部に連続した一対の固定見付け片部とを有し、前記可動縦材は、前記固定見込み片部に対して間隔を隔てて対向する可動見込み片部と、前記可動見込み片部に連続した一対の可動見付け片部とを有し、前記一対の可動見付け片部は前記一対の固定見付け片部に対して位置調整可能に重なって配置されていることを特徴とする。
本発明の玄関庇は、支柱と、屋根と、開口部に設置された建具と、前述した本発明の建具取付構造における固定縦材および可動縦材とを備え、前記支柱に沿って固定される前記固定縦材および前記固定縦材に取付可能な前記可動縦材によって前記建具の縦枠が構成され、前記一対の可動見付け片部は前記一対の固定見付け片部に対して位置調整可能に重なって配置されていることを特徴とする。
本発明の建具取付方法は、支柱および屋根を備えた玄関庇に形成される開口部に前述した本発明の建具取付構造を用いて建具を取り付ける建具取付方法であって、前記建具の縦枠を構成する前記固定縦材および前記可動縦材のうち前記固定縦材を前記支柱に固定し、前記可動縦材を前記固定縦材に対して位置調整し、前記可動縦材を前記固定縦材に取り付けることを特徴とする。
【発明の効果】
【０００７】
本発明によれば、開口部に建具を簡単に取り付けることができる建具取付構造、玄関庇および建具取付方法を提供することができる。
【図面の簡単な説明】
【０００８】
【図１】本発明の実施形態に係る玄関庇を示す正面図。
【図２】前記実施形態に係る玄関庇を示す側面図。
【図３】前記実施形態に係る玄関庇を示す横断面図。
【図４】前記実施形態に係る玄関庇における建具取付構造を示す横断面図。
【図５】図４に示す建具取付構造による位置調整を示す横断面図。
【図６】本発明の変形例に係る建具取付構造を示す横断面図。
【発明を実施するための形態】
【０００９】
［本実施形態の構成］
以下、本発明の実施形態を図面に基づいて説明する。
図１から図３において、本実施形態に係る屋根構造物としての玄関庇１は、地面に立設された左右の支柱２（２Ａ，２Ｂ）と、建物の外壁５に取り付けられて支柱２Ａ，２Ｂに支えられた屋根３とを備えており、支柱２Ａ，２Ｂ間に形成された開口部４Ａに建具としての上吊り式の引き戸６が設置され、支柱２Ａおよび外壁５間に形成された開口部４Ｂに建具としての引き違い窓７が設置され、支柱２Ｂおよび外壁５間に形成された開口部４Ｃに建具としての固定窓８が設置されている。
以下の説明において、玄関庇１の左右方向（間口方向）をＸ軸方向とし、玄関庇１の上下方向をＹ軸方向とし、玄関庇１の見込み方向（奥行方向）をＺ軸方向とする。Ｘ，Ｙ，Ｚ軸方向は互いに対向している。
【００１０】
支柱２Ａ，２Ｂは、前片部２１、後片部２２および一対の側片部２３を有して断面矩形状にそれぞれ形成されており、前片部２１には樋部材２５（図３参照）が取り付けられている。屋根３には屋根勾配が設定されており、屋根３上を流れる雨水は樋部材２５を通って排水されるようになっている。
引き戸６は、図１および図３に示すように、上枠６１、左右の縦枠６３，６４および中骨６５によって構成される枠体６６と、上枠６１、戸尻側の縦枠６４および中骨６５に嵌め殺しされた面材６７と、引き戸６の左右方向（Ｘ軸方向）にスライド可能に上枠６１に吊下げ支持された戸体６８とを備えている。面材６７の下縁部は、縦枠６４および中骨６５に取り付けられた下框６２によって保持されている。
引き違い窓７は、図２および図３に示すように、上枠７１、下枠７２および左右の縦枠７３，７４によって構成された窓枠７５と、窓枠７５内に左右方向（Ｙ軸方向）に引き違い可能に設置された外障子７６および内障子７７とを備えている。本実施形態では、引き違い窓７に対して上側および下側の部分にはパネル材７８，７９が設置されている。
固定窓８は、図３に示すように、後述する可動縦材１５および取付縦材１１１によって左右の縦縁部が保持された面材８１を備えている。面材８１の上下縁部は図示しない上枠および下枠によって保持されている。なお、固定窓８および屋根３の間や固定窓８および地面の間に間隔がある場合には、これらの間隔はパネル材（図示省略）によって仕切られる。
【００１１】
図３に示すように、引き戸６は縦枠６３，６４として断面略コ字形状の可動縦材１５および当該可動縦材１５が取り付けられる固定縦材１１をそれぞれ備えており、固定縦材１１が支柱２Ａ，２Ｂの各側片部２３にそれぞれ固定されている。
また、引き違い窓７の縦枠７３は、Ｙ軸方向に延びた縦枠見込み片に取り付けられた可動縦材１５およびこの可動縦材１５が取り付けられる固定縦材１１によって構成されており、この固定縦材１１は、支柱２Ａの後片部２２に固定されている。縦枠７４は、Ｙ軸方向に延びた縦枠見込み片に取付縦材１１１が取り付けられることによって構成されており、この取付縦材１１１は、外壁５に固定された躯体縦材９Ａに取り付けられている。
更に、固定窓８の面材８１の一方の縦縁部（支柱２Ｂ側の縦縁部）は可動縦材１５によって保持されており、この可動縦材１５および当該可動縦材１５が取り付けられる固定縦材１１によって支柱２Ｂ側の縦枠８２が構成されている。この固定縦材１１は、支柱２Ｂの後片部２２に固定されている。固定窓８の面材８１の他方の縦縁部（外壁５側の縦縁部）は、取付縦材１１１によって保持されており、この取付縦材１１１によって外壁５側の縦枠８３が構成されている。この取付縦材１１１は外壁５に固定された躯体縦材９Ｂに取り付けられている。また、面材８１の上下縁部は図示しない上枠、下枠によってそれぞれ保持されている。固定窓８に対して上側、下側の部分にはパネル材などが適宜設置される。なお、取付縦材１１１は可動縦材１５と略同様の断面形状に形成されている。
【００１２】
前述した固定縦材１１および可動縦材１５は、図４に示すように組み合わされている。図４では、固定縦材１１が支柱２に固定され且つ、可動縦材１５が固定縦材１１に取り付けられた状態を示している。
固定縦材１１は、固定見込み片部１２と、固定見込み片部１２に連続した一対の固定見付け片部１３，１４とを有して断面略コ字形状に形成されている。可動縦材１５は、固定見込み片部１２に対して見付け方向の間隔を隔てて対向する可動見込み片部１６と、可動見込み片部１６に連続した一対の可動見付け片部１７，１８とを有して断面略コ字形状に形成されている。
固定見込み片部１２は、Ｙ軸方向に沿って複数箇所が支柱２にネジ１０によってネジ止めされている。固定見付け片部１３，１４は互いに概略同様に形成されて同寸法とされていると共に見込み方向において互いに間隔を隔てて対向して配置されている。可動見込み片部１６は固定見込み片部１２よりも大きい見込み寸法を有している。可動見込み片部１６の見込み方向における略中央部分には、面材８１などをガスケットを介して保持するための保持溝１６１が形成されている。可動見付け片部１７，１８は互いに概略同様に形成されて同寸法とされていると共に見込み方向において互いに間隔を隔てて対向して配置されている。可動見付け片部１７は、固定見込み片部１２における一方の側縁から延出しており、可動見付け片部１８は、固定見込み片部１２における他方の側縁から延出している。この可動縦材１５は可動見込み片部１６および可動見付け片部１７，１８によって形成される凹溝１５１内に固定縦材１１の固定見付け片部１３，１４を呑み込んでいる。このため、可動見付け片部１７，１８は固定見付け片部１３，１４と重なり合って配置されている。可動見付け片部１７，１８のうち固定見込み片部１２側に位置する側縁部１７１，１８１は、見込み方向において固定見付け片部１３，１４側に折曲された折曲片部１７２，１８２と、折曲片部１７２，１８２から更に見付け方向において固定見込み片部１２側に延出した取付片部１７３，１８３とによって構成されている。この折曲片部１７２，１８２および取付片部１７３，１８３と、固定見付け片部１３，１４のうち外部に露出する部分と、支柱２とによってシール目地１９が形成されている。取付片部１７３，１８３はネジ１０によって固定見付け片部１３，１４にそれぞれネジ止めされており、シール目地１９には、シール材１９１が施工されている。このため、取付片部１７３，１８３に取り付けられたネジ１０はシール材１９１に埋められて露出しない配置となっている。なお、可動見付け片部１７，１８は、固定見付け片部１３，１４に対して取り付けていない状態では、固定見付け片部１３，１４と重なっている範囲で当該固定見付け片部１３，１４に沿って位置調整可能である。
【００１３】
以下、引き戸６の開口部４Ａへの取付手順について説明する。
まず、枠体６６の戸先および戸尻の両側に可動縦材１５を設け、且つ各可動縦材１５の凹溝１５１に固定縦材１１の固定見付け片部１３，１４を呑み込ませた状態とし、このような状態とした枠体６６を開口部４Ａに配置する。
次に、各固定縦材１１をＸ軸方向において各可動縦材１５の凹溝１５１から突出させて支柱２Ａ，２Ｂの側片部２３にそれぞれ押し当て（図５（Ａ）参照）、各側片部２３に各固定縦材１１の固定見込み片部１２をネジ止めする。このようにネジ止めした各固定縦材１１は、支柱２Ａ，２Ｂの各側片部２３に沿って配置されるので、例えば支柱２Ａ，２Ｂが垂直方向（Ｙ軸方向）に対してＸ軸方向に傾いている場合には、各固定縦材１１も支柱２Ａ，２Ｂと同様に垂直方向に対して傾いて配置される。
次に、各可動縦材１５を各固定縦材１１に対して見付け方向に位置調整することで垂直出しし、これにより、枠体６６の建付調整をする。その後、可動見付け片部１７，１８の取付片部１７３，１８３を固定見付け片部１３，１４にネジ止めし（図５（Ｂ）参照）、シール目地１９にシール材１９１を充填する（図４参照）。
最後に、戸体６８をＸ軸方向にスライド可能に上枠６１に上吊り支持させることで、開口部４Ａに引き戸６を設置する（図１および図３参照）。開口部４Ａには、支柱２Ａ，２Ｂにそれぞれ固定された固定縦材１１と、固定縦材１１にそれぞれネジ止めされた可動縦材１５とによって引き戸６の取付構造（建具取付構造）が構成される。
【００１４】
以下、引き違い窓７の開口部４Ｂへの取付手順について説明する。
まず、窓枠７５の一方の縦枠見込み片に取り付けられた可動縦材１５の凹溝１５１に固定縦材１１の固定見付け片部１３，１４を呑み込ませた状態にして縦枠７３を構成する。一方、他方の縦枠見込み片に取付縦材１１１を取り付けて縦枠７４を構成する。このような状態とした窓枠７５を開口部４Ｂに配置する。
次に、固定縦材１１をＺ軸方向において可動縦材１５の凹溝１５１から突出させて支柱２Ａの後片部２２に押し当て、前記後片部２２に固定縦材１１の固定見込み片部１２をネジ止めする。このようにネジ止めした固定縦材１１は、支柱２Ａの後片部２２に沿って配置される。続いて、可動縦材１５を固定縦材１１に対して見付け方向に位置調整することで垂直出しする。一方、取付縦材１１１を、外壁５に固定された躯体縦材９Ａにネジ止めする。このようにして、窓枠７５の建付調整をする。その後、可動見付け片部１７，１８の取付片部１７３，１８３を固定見付け片部１３，１４にネジ止めし、シール目地１９にシール材１９１を充填する。
最後に、外障子７６および内障子７７をＺ軸方向に引き違い可能に窓枠７５内に設置する。開口部４Ｂには、支柱２Ａに固定された固定縦材１１と、固定縦材１１にネジ止めされた可動縦材１５と、躯体縦材９Ａに取り付けられた取付縦材１１１とによって引き違い窓７の取付構造（建具取付構造）が構成される。
【００１５】
以下、固定窓８の開口部４Ｃへの取付手順について説明する。
まず、固定窓８の図示しない上枠および下枠の一端側に取り付けられた可動縦材１５の凹溝１５１に固定縦材１１の固定見付け片部１３，１４を呑み込ませた状態として縦枠８２を構成する。なお、縦枠８３は、固定窓８の上枠および下側の他端側に取り付けられた取付縦材１１１によって構成されている。このような状態とした固定窓８を開口部４Ｃに配置する。
次に、固定縦材１１をＺ軸方向において可動縦材１５の凹溝１５１から突出させて支柱２Ｂの後片部２２に押し当て、前記後片部２２に固定縦材１１の固定見込み片部１２をネジ止めする。このようにネジ止めした固定縦材１１は、支柱２Ｂの後片部２２に沿って配置される。続いて、可動縦材１５を固定縦材１１に対して見付け方向に位置調整することで垂直出しする。一方、取付縦材１１１を、外壁５に固定された躯体縦材９Ｂにネジ止めする。このようにして、固定窓８の窓枠の建付調整をする。その後、可動見付け片部１７，１８の取付片部１７３，１８３を固定見付け片部１３，１４にネジ止めし、シール目地１９にシール材１９１を充填する。
最後に、面材８１を固定窓８の窓枠に設置する。開口部４Ｃには、支柱２Ｂに固定された固定縦材１１と、固定縦材１１にネジ止めされた可動縦材１５と、躯体縦材９Ｂに固定された取付縦材１１１によって固定窓８の取付構造(建具取付構造)が構成される。
【００１６】
前述したように開口部４Ａ〜４Ｃに建具（引き戸６、引き違い窓７、固定窓８）が設置された玄関庇１には、建物の外壁５前に屋内外を仕切った風除け室１００が構成される（図３参照）。
【００１７】
[変形例]
前記実施形態では、可動縦材１５の可動見付け片部１７，１８を固定縦材１１の固定見付け片部１３，１４にネジ止めしているが、例えばＹ軸方向に沿った軸周りの捩じり力が可動縦材１５に対してあまり加えられない環境下においては、図６に示すように可動見込み片部１６を固定見込み片部１２にネジ１０によってネジ止めしてもよい。具体的には、固定見込み片部１２の見込み方向における略中央部分に可動見込み片部１６側に凹んだ溝部１２１を形成し、且つ、溝部１２１にネジ１０と螺合する裏当板１２２を設けて固定縦材１１を構成する。一方、可動見込み片部１６の保持溝１６１の底部および固定見込み片部１２に調整ネジ１０Ａを貫通させて裏当板１２２に螺合させる。このように可動縦材１５を固定縦材１１に取り付けた場合には、シーリング前であれば、調整ネジ１０Ａのネジ込み調整によって可動縦材１５の固定縦材１１に対する位置調整ができる。
前記実施形態では、可動縦材１５の可動見付け片部１７，１８における側縁部１７１，１８１は、折曲片部１７２および取付片部１７３によって段形状とされているが、このように段形状とされずに見付け方向に真っ直ぐ延びて形成されていてもよい。この場合においても、固定見付け片部１３，１４と固定縦材１１の固定相手（支柱２Ａ，２Ｂ、躯体縦材９Ａ，９Ｂ）との間に形成される間隙によってシール目地１９が形成される。
前記実施形態では、可動縦材１５が固定縦材１１の固定見付け片部１３，１４を呑み込んでいるが、これとは逆に、固定縦材１１が可動縦材１５の可動見付け片部１７，１８を呑み込んで構成されていてもよい。この場合、固定縦材１１の固定見付け片部１３，１４にネジ１０が打ち込まれて可動見付け片部１７，１８にネジ止めされていてもよい。また、固定縦材１１の固定見込み片部１２と固定見付け片部１３，１４との連続部分にシール目地形成用の段部を形成し、この段部にシール材１９１を充填してもよい。
前記実施形態では、躯体縦材９Ａ，９Ｂに対しては取付縦材１１１をネジ止めしているが、これに代えて、躯体縦材９Ａ，９Ｂに固定縦材１１を固定し、当該固定縦材１１に可動縦材１５を位置調整して取り付けられる構成としてもよい。
前記実施形態では、開口部４Ａ〜４Ｃのすべてに建具（引き戸６、引き違い窓７、固定窓８）が設置されているが、開口部４Ａ〜４Ｃのいくつかに建具を設置せずに開放してもよい。また、開口部４Ａ〜４Ｃに設置される建具は前述したものに限られず各種の建具が設置可能である。
【００１８】
[本発明のまとめ]
本発明の建具取付構造は、支柱および屋根を備えた玄関庇に形成される開口部に建具を取り付ける建具取付構造であって、前記支柱に沿って固定される固定縦材および前記固定縦材に取付可能な可動縦材によって前記建具の縦枠が構成され、前記固定縦材は、前記支柱に固定される固定見込み片部と、前記固定見込み片部に連続した一対の固定見付け片部とを有し、前記可動縦材は、前記固定見込み片部に対して間隔を隔てて対向する可動見込み片部と、前記可動見込み片部に連続した一対の可動見付け片部とを有し、前記一対の可動見付け片部は前記一対の固定見付け片部に対して位置調整可能に重なって配置されていることを特徴とする。
本発明の建具取付構造によれば、例えば支柱が垂直方向に対して傾いていても、固定縦材を支柱に沿って固定し、建具に設置された可動縦材を固定縦材に対して位置調整することで垂直出しを行うことができ、垂直出しした可動縦材を固定縦材に取り付けることで、建具を開口部に建付調整した状態で設置できる。
また、例えば建具を支柱に直接固定する場合には、支柱および建具の間に介物を設置して建具の建付調整をする手間を要するが、本発明では固定縦材に対して可動縦材を位置調整できるので、このような介物を設置する手間を要しない。
【００１９】
本発明の建具取付構造では、前記可動縦材は、前記固定縦材の一対の固定見付け片部を呑み込んで配置され、前記一対の可動見付け片部のうち前記固定見込み片部側に位置する側縁部は、見込み方向において前記一対の固定見付け片部側に折曲された折曲片部と、前記折曲片部から更に見付け方向において前記固定見込み片部側に延出した取付片部とによって構成されていてもよい。
このような構成によれば、一対の可動見付け片部の取付片部をネジ等によって一対の固定見付け片部に取り付けることで、シーリング作業が容易な所定深さ寸法を有したシール目地を構成できて止水性を向上できる。また、取付片部を固定見付け片部に取り付けるネジ等をシール材によって埋めることで意匠性を向上できる。
【００２０】
本発明の建具取付構造では、前記一対の可動見付け片部は、前記一対の固定見付け片部に対してそれぞれ取り付けられていてもよい。
このような構成によれば、上下方向に沿った軸周りの捩じりに対する強度を高めることができ、建具の開口部への取付強度を向上できる。
【００２１】
本発明の玄関庇は、支柱と、屋根と、開口部に設置された建具と、前述した本発明の建具取付構造における固定縦材および可動縦材とを備え、前記支柱に沿って固定される前記固定縦材および前記固定縦材に取付可能な前記可動縦材によって前記建具の縦枠が構成され、前記一対の可動見付け片部は前記一対の固定見付け片部に対して位置調整可能に重なって配置されていることを特徴とする。
本発明の玄関庇によれば、前述した本発明の建具取付構造の作用効果と同様の作用効果を発揮可能な玄関庇を構成できる。
【００２２】
本発明の建具取付方法は、支柱および屋根を備えた玄関庇に形成される開口部に前述した本発明の建具取付構造を用いて建具を取り付ける建具取付方法であって、前記建具の縦枠を構成する前記固定縦材および前記可動縦材のうち前記固定縦材を前記支柱に固定し、前記可動縦材を前記固定縦材に対して位置調整し、前記可動縦材を前記固定縦材に取り付けることを特徴とする。
本発明の建具取付方法によれば、前述した本発明の建具取付構造の作用効果と同様の作用効果を発揮できる。
【符号の説明】
【００２３】
１…玄関庇、１０…ネジ、１０Ａ…調整ネジ、１００…風除け室、１１…固定縦材、１１１…取付縦材、１２…固定見込み片部、１２１…溝部、１２２…裏当板、１３，１４…固定見付け片部、１５…可動縦材、１５１…凹溝、１６…可動見込み片部、１６１…保持溝、１７，１８…可動見付け片部、１７１，１８１…側縁部、１７２，１８２…折曲片部、１７３，１８３…取付片部、１９…シール目地、１９１…シール材、２（２Ａ，２Ｂ）…支柱、２１…前片部、２２…後片部、２３…側片部、３…屋根、４Ａ，４Ｂ，４Ｃ…開口部、５…外壁、６…引き戸、６６…枠体、７…引き違い窓、８…固定窓、９Ａ，９Ｂ…躯体縦材。
【図１】
2020128630.tif 000003
【図２】
2020128630.tif 000004
【図３】
2020128630.tif 000005
【図４】
2020128630.tif 000006
【図５】
2020128630.tif 000007
【図６】
2020128630.tif 000008